(57)【要約】【課題】光ディスクをクランプ又はアンクランプするときに生じる、光ピックアップのホルダとベース部との衝突による叩き音を抑えること。【解決手段】対物レンズを保持するホルダと、ホルダをフォーカス軸方向に変位させるアクチュエータと、ホルダを支持するベース部とを有する光ピックアップと、アクチュエータの駆動を制御する駆動制御部とを備えるディスク再生装置であって、光ディスクがクランプ又はアンクランプされるとき、駆動制御部が、光ディスクから遠ざかる方向へホルダを変位させるようアクチュエータの駆動を制御し、ホルダの底部をベース部に当接させる。【選択図】図１
2011070708.tif 000002
【特許請求の範囲】
【請求項１】
対物レンズを保持するホルダと、該ホルダをフォーカス軸方向に変位させるアクチュエータと、該ホルダを支持するベース部とを有する光ピックアップと、
該アクチュエータの駆動を制御する駆動制御部とを備えるディスク再生装置であって、
光ディスクがクランプ又はアンクランプされるとき、該駆動制御部が、該光ディスクから遠ざかる方向へ該ホルダを変位させるよう該アクチュエータの駆動を制御し、該ホルダの底部を該ベース部に当接させる、ディスク再生装置。
【請求項２】
前記光ディスクを積載するディスクトレイを有し、該ディスクトレイを搬入及び搬出するディスクローディング部をさらに備え；
該駆動制御部が、
搬入又は搬出の指示信号が入力されたとき、該光ディスクから遠ざかる方向へ前記ホルダを変位させるよう前記アクチュエータの駆動を制御して、該ホルダの底部を前記ベース部に当接させるとともに、該ディスクローディング部に該ディスクトレイの搬入又は搬出を開始させ、
該ディスクトレイの搬入又は搬出が完了したとき、該ホルダが基準位置へ配置されるよう該アクチュエータの駆動を制御する、請求項１に記載のディスク再生装置。
【請求項３】
前記駆動制御部が、
搬入又は搬出の指示信号が入力されたとき、計時を開始し、前記光ディスクから遠ざかる方向へ前記ホルダを変位させるよう前記アクチュエータの駆動を制御して、該ホルダの底部を前記ベース部に当接させ、
計時開始から所定時間が経過したとき、該ホルダが基準位置へ配置されるよう該アクチュエータの駆動を制御する、請求項１に記載のディスク再生装置。
【発明の詳細な説明】
【技術分野】
【０００１】
本発明はディスク再生装置に関し、さらに詳しくは、光ディスクをクランプ又はアンクランプするときに生じる動作音が小さいディスク再生装置に関する。
【背景技術】
【０００２】
一般にディスク再生装置３００は、図７に示すように、光ピックアップ３０６が搭載されたトラバースメカ３０１がカム機構（図示せず）によって持ち上げられて、ディスクトレイ３０２に積載されている光ディスク３０３をターンテーブル３０４上に載せ、クランパー３０５が磁力によってターンテーブル３０４を吸着することで、光ディスク３０３がクランプされる構造になっている。しかし、光ディスクをクランプ又はアンクランプするときに動作音が生じ、ユーザにとって非常に不愉快である。この動作音の要因のひとつに、光ピックアップ３０６の構造によるものが挙げられる。具体的には、図８に示すように、光ピックアップ３０６では、ディスク再生時に直ちにディスク記録面へレンズ焦点を合わせるために、対物レンズ３０６ａが可動範囲（光ディスク面に対して垂直方向）の所定位置に配置されており、宙に浮いた状態である。一方、ターンテーブル３０４がクランパー３０５の磁力によって吸着されるため、吸着される瞬間と離れる瞬間に衝撃が生じる。その衝撃が光ピックアップ３０６に伝わり、対物レンズ３０６ａを保持するホルダ３０６ｂが、図８中の矢印の方向へ動いてしまい、光ピックアップ３０６のベース部材３０６ｃに衝突してしまうことで、叩き音が発生するという問題がある。
【先行技術文献】
【特許文献】
【０００３】
【特許文献１】特開２００４−３６２６７５号
【特許文献２】特開２００５−１００６３３号
【発明の概要】
【発明が解決しようとする課題】
【０００４】
本発明は上記従来の課題を解決するためになされたものであり、その目的とするところは、光ディスクをクランプ又はアンクランプするときに生じる動作音が小さいディスク再生装置を提供することである。
【課題を解決するための手段】
【０００５】
本発明の好ましい実施形態によるディスク再生装置は、対物レンズを保持するホルダと、該ホルダをフォーカス軸方向に変位させるアクチュエータと、該ホルダを支持するベース部とを有する光ピックアップと、該アクチュエータの駆動を制御する駆動制御部とを備えるディスク再生装置であって、光ディスクがクランプ又はアンクランプされるとき、該駆動制御部が、該光ディスクから遠ざかる方向へ該ホルダを変位させるよう該アクチュエータの駆動を制御し、該ホルダの底部を該ベース部に当接させる。
【０００６】
光ディスクがクランプ又はアンクランプされるとき、駆動制御部は光ディスクからフォーカス軸方向に遠ざかる方向へホルダを変位させ、ホルダの底部をベース部に当接させる。これにより、光ディスクがクランプ又はアンクランプされるときに生じる衝撃が光ピックアップに伝わっても、ホルダとベース部との衝突を防ぎ、叩き音を抑えることができる。
【０００７】
好ましい実施形態においては、上記光ディスクを積載するディスクトレイを有し、該ディスクトレイを搬入及び搬出するディスクローディング部をさらに備え；該駆動制御部が、搬入又は搬出の指示信号が入力されたとき、該光ディスクから遠ざかる方向へ上記ホルダを変位させるよう上記アクチュエータの駆動を制御して、該ホルダの底部を上記ベース部に当接させるとともに、該ディスクローディング部に該ディスクトレイの搬入又は搬出を開始させ、該ディスクトレイの搬入又は搬出が完了したとき、該ホルダが基準位置へ配置されるよう該アクチュエータの駆動を制御する。
【０００８】
駆動制御部は、ディスクトレイの搬入又は搬出の開始から完了まで、光ディスクからフォーカス軸方向に遠ざかる方向へホルダを変位させ、ホルダの底部をベース部に当接させる。これにより、ディスクトレイの搬入又は搬出に連動して光ディスクがクランプ又はアンクランプされる場合に、ディスクトレイの搬入又は搬出に合わせてホルダの底部がベース部に当接され、光ディスクがクランプ又はアンクランプのときのホルダとベース部との衝突による叩き音を抑えることができる。
【０００９】
好ましい実施形態においては、上記駆動制御部が、搬入又は搬出の指示信号が入力されたとき、計時を開始し、上記光ディスクから遠ざかる方向へ上記ホルダを変位させるよう上記アクチュエータの駆動を制御して、該ホルダの底部を上記ベース部に当接させ、計時開始から所定時間が経過したとき、該ホルダが基準位置へ配置されるよう該アクチュエータの駆動を制御する。
【００１０】
駆動制御部は、入力部から搬入又は搬出の指示信号が入力されたとき、計時を開始し、光ディスクから遠ざかる方向へホルダを変位するようアクチュエータの駆動を制御して、ホルダの底部をベース部に当接させる。計時する所定時間として、計時開始からクランプ又はアンクランプが完了するまでに必要な時間を設定すれば、ディスクトレイの搬入又は搬出動作中に光ディスクのクランプ又はアンクランプが完了しない場合であっても、光ディスクがクランプ又はアンクランプされるときにホルダの底部がベース部に当接されているので、叩き音の発生を抑えることができる。
【発明の効果】
【００１１】
本発明のディスク再生装置は、光ディスクがクランプ又はアンクランプされるとき、光ディスクからフォーカス軸方向に遠ざかる方向へホルダを変位させ、ホルダの底部をベース部に当接させることで、ホルダとベース部の衝突による叩き音を抑えることができる。
【図面の簡単な説明】
【００１２】
【図１】本発明の好ましい実施形態によるディスク再生装置を示すブロック図である。
【図２】本発明の好ましい実施形態における光ピックアップの構造を示す側面図である。
【図３】ディスクトレイの搬入が指示されたときのマイクロコンピュータの処理を示すフローチャートである。
【図４】クランプ又はアンクランプ中におけるホルダの位置を示す、光ピックアップの側面図である。
【図５】ディスクトレイの搬出が指示されたときのマイクロコンピュータの処理を示すフローチャートである。
【図６】ディスクトレイの搬入又は搬出が指示されたときのマイクロコンピュータの処理を示すフローチャートである。
【図７】従来のディスク再生装置を示す側面図である。
【図８】従来の光ピックアップの構造を示す側面図である。
【発明を実施するための形態】
【００１３】
以下、本発明の好ましい実施形態によるディスク再生装置１００について、図を参照して説明するが、本発明はこれらの実施形態には限定されない。なお、図中同一又は相当部分には同一符号を付してその説明を援用する。
【００１４】
図１は、本発明の好ましい実施形態によるディスク再生装置１００を示すブロック図である。図２は、光ピックアップ１０１の構造を示す側面図である。ディスク再生装置１００は、ＣＤ、ＤＶＤ、ＢＤといった光ディスク１１１が再生可能な装置であり、図１に示すように光ピックアップ１０１と、ＲＦアンプ１０２と、サーボ信号処理部１０３と、ドライバ１０４と、ディスクモータ１０５と、ディスクローディング部１０６と、ターンテーブル１０７と、ドライバ１０８と、入力部１０９と、マイクロコンピュータ１１０とを備える。
【００１５】
光ピックアップ１０１は、光ディスク１１１へレーザ光を照射し、光ディスク１１１で反射された反射光から、映像や音楽などを含むＲＦ信号やフォーカスエラー信号などを生成し、ＲＦアンプ１０２へ出力する。光ピックアップ１０１は、光ディスク１１１へレーザ光を照射するための対物レンズ１０１ａと、対物レンズ１０１ａをフォーカス軸方向（光ディスク面に対して垂直方向）に駆動するアクチュエータ１０１ｂとを備える。また、図２で示すように、光ピックアップ１０１は対物レンズ１０１ａを保持するホルダ１０１ｃを有する。ホルダ１０１ｃがアクチュエータ１０１ｂによって駆動されることによって、対物レンズ１０１ａはフォーカス軸方向に駆動される。なお、ホルダ１０１ｃはヒンジ部１０１ｄを介してベース部１０１ｅに接続される。
【００１６】
ＲＦアンプ１０２は、光ピックアップ１０１から入力される信号を所定の値に増幅し、サーボ信号処理部１０３へ出力する。
【００１７】
サーボ信号処理部１０３は、ＲＦアンプ１０２から入力されるフォーカスエラー信号や、後述するマイクロコンピュータ１１０から入力される制御信号に基づいて、アクチュエータ１０１ｂを駆動させる。また、サーボ信号処理部１０３は、ＲＦ信号をアナログ／デジタル変換して音声／映像信号処理部（図示せず）へ出力する。音声／映像信号処理部へ入力された信号は復調や復号が行われ、ＤＡコンバータでデジタル／アナログ変換されて音声／映像信号として出力される。
【００１８】
ドライバ１０４は、サーボ信号処理部１０３から入力された信号から光ピックアップ１０１のアクチュエータ１０１ｂ及びディスクモータ１０５への駆動信号を生成し出力する。ディスクモータ１０５は、ディスク再生装置１００にセットされた光ディスク１１１を回転させるためのモータであり、スピンドルモータなどで構成されている。
【００１９】
ディスクローディング部１０６は、光ディスクを積載するディスクトレイ１０６ａとローディングモータ１０６ｂとを有し、ローディングモータ１０６ｂによってディスクトレイ１０６ａをディスク再生装置１００へ搬入又は搬出する。光ディスク１１１は、このディスクローディング部１０６によるディスクトレイ１０６ａの搬入と連動してターンテーブル１０７とクランパー（図示せず）とでクランプされ、ディスクトレイ１０６ａの搬出と連動してアンクランプされる。
【００２０】
ドライバ１０８は、マイクロコンピュータ１１０から入力された信号からローディングモータ１０６ａへの駆動信号を生成し出力する。
【００２１】
入力部１０９は、ユーザからの指示を受け付け、ディスクトレイ１０６ａの搬入又は搬出の指示があった場合に、指示信号をマイクロコンピュータ１１０へ出力する。この指示信号は、搬入及び搬出共通の信号であっても、それぞれ別の信号であってもよい。
【００２２】
マイクロコンピュータ１１０は、入力部１０９から指示信号が入力されると、ドライバ１０８へ制御信号を出力し、ローディングモータ１０６ｂを駆動させてディスクトレイ１０６ａを搬入又は排出させる。また、マイクロコンピュータ１１０は、光ディスク１１１がクランプ又はアンプランプされるとき、サーボ信号処理部１０３へ制御信号を出力し、アクチュエータ１０１ｂによってホルダ１０１ｃの底部１０１ｆをベース部１０１ｅに当接させる。ここで、光ディスク１１１がクランプされるときとは、例えば、マイクロコンピュータ１１０がローディングモータ１０６ｂを駆動させているときである。なぜなら、本実施例においては、ディスクトレイ１０６ａの搬入又は搬出と連動して光ディスク１１１がクランプ又はアンクランプされるからである。さらに、マイクロコンピュータ１１０は、クランプ又はアンクランプ動作中でない場合、ディスク再生時に直ちにディスク記録面へレンズ焦点を合わせるために、サーボ信号処理部１０３へ制御信号を出力し、アクチュエータ１０１ｂによって光ピックアップ１０１を基準位置に配置させる。ここで、光ディスク１１１のクランプ／アンクランプ動作中でない場合とは、本実施例では、マイクロコンピュータ１１０がローディングモータ１０６ｂを駆動させていないときである。
【００２３】
なお、本実施例において、マイクロコンピュータ１１０、サーボ信号処理部１０３、ドライバ１０４及びドライバ１０８が、アクチュエータ１０１ｂ又はローディングモータ１０６ｂの駆動を制御する駆動制御部として働き、駆動制御部は、搬入又は搬出の指示信号が入力されたとき、光ディスク１１１から遠ざかる方向へホルダ１０１ｃを変位させるようアクチュエータ１０１ｂの駆動を制御して、ホルダ１０１ｃの底部１０１ｆをベース部１０１ｅに当接させるとともに、ローディングモータ１０６ｂの駆動を制御して、ディスクローディング部１０６にディスクトレイ１０６ａの搬入又は搬出を開始させる。また、駆動制御部は、ディスクトレイ１０６ａの搬入又は搬出が完了したとき、ホルダ１０１ｃが基準位置へ配置されるようアクチュエータ１０１ｂの駆動を制御する。
【００２４】
次に、本発明の好ましい実施形態によるディスク再生装置１００の動作について説明する。図３は、ディスクトレイ１０６ａの搬入が指示されたときのマイクロコンピュータ１１０の処理を示すフローチャートである。図４は、クランプ又はアンクランプ動作中におけるホルダ１０１ｃの位置状態を示す、光ピックアップ１０１の側面図である。図５は、ディスクトレイ１０６ａの搬出が指示されたときのマイクロコンピュータ１１０の処理を示すフローチャートである。
【００２５】
まず、ディスクトレイ１０６ａが搬入されるときのマイクロコンピュータ１１０の処理について説明する。入力部１０９からディスクトレイ１０６ａ搬入の指示信号が入力されると、マイクロコンピュータ１１０は、制御信号をサーボ信号処理部１０３へ出力し、アクチュエータ１０１ｂを駆動させて、図４に示すように、ホルダ１０１ｃを光ディスク１１１からフォーカス軸方向に遠ざけて底部１０１ｆをベース部１０１ｅに当接させる（Ｓ１１）。そして、マイクロコンピュータ１１０は、制御信号をローディングモータ１０６ｂへ出力し、ローディングモータ１０６ｂを駆動させて、ディスクトレイ１０６ａをディスク再生装置１００へ搬入させる（Ｓ１２）。このとき、ディスクトレイ１０６ａの搬入動作に連動して光ディスク１１１がクランプされるので、クランプによって生じる衝撃が光ピックアップ１０１に伝わる。しかし、ホルダ１０１ｃがすでにベース部１０１ｅに当接されているため、ホルダ２ｂとベース部１０１ｅとの衝突による叩き音を抑えることができる。次に、マイクロコンピュータ１１０は、ディスクトレイ１０６ａがディスク再生装置１００へ完全に搬入されると、ローディングモータ１０６ｂを停止させ、ディスクトレイ１０６ａの搬入を完了する（Ｓ１３）。そして、マイクロコンピュータ１１０は、制御信号をサーボ信号処理部１０３へ出力し、図２で示すように、対物レンズ１０１ａが基準位置に配置されるよう、アクチュエータ１０１ｂを駆動させる（Ｓ１４）。
【００２６】
次に、ディスクトレイ１０６ａが搬出されるときのマイクロコンピュータ１１０の処理について説明する。入力部１０９からディスクトレイ１０６ａ搬出の指示信号が入力されると、マイクロコンピュータ１１０は、制御信号をサーボ信号処理部１０３へ出力し、アクチュエータ１０１ｂを駆動させて、図４に示すように、ホルダ１０１ｃを光ディスク１１１からフォーカス軸方向に遠ざけて底部１０１ｆをベース部１０１ｅに当接させる（Ｓ２１）。そして、マイクロコンピュータ１１０は、制御信号をローディングモータ１０６ｂへ出力し、ローディングモータ１０６ｂを駆動させて、ディスクトレイ１０６ａをディスク再生装置１００から搬出させる（Ｓ２２）。このとき、ディスクトレイ１０６ａの搬出動作に連動して光ディスク１１１がアンクランプされるので、アンクランプによって生じる衝撃が光ピックアップ１０１に伝わる。しかし、ホルダ１０１ｃがすでにベース部１０１ｅに当接されているため、ホルダ２ｂとベース部１０１ｅとの衝突による叩き音を抑えることができる。次に、マイクロコンピュータ１１０は、ディスクトレイ１０６ａがディスク再生装置１００から完全に搬出されると、ローディングモータ１０６ｂを停止させ、ディスクトレイ１０６ａの搬出を完了する（Ｓ２３）。そして、マイクロコンピュータ１１０は、制御信号をサーボ信号処理部１０３へ出力し、図２で示すように、対物レンズ１０１ａが基準位置に配置されるよう、アクチュエータ１０１ｂを駆動させる（Ｓ２４）。
【００２７】
次に、本発明の別の好ましい実施形態によるディスク再生装置２００について説明する。上述のディスク再生装置１００と同一部分については、その説明を省略または簡略する。ディスク再生装置２００では、入力部１０９からディスクトレイ１０６ａの搬入又は搬出の指示信号が入力されると、マイクロコンピュータ１１０が計時を開始する。そして、マイクロコンピュータ１１０は、サーボ信号処理部１０３へ制御信号を出力し、アクチュエータ１０１ｂを駆動させて、所定時間が経過するまで、ホルダ１０１ｃの底部１０１ｆをベース部１０１ｅに当接させる。所定時間が経過すれば、マイクロコンピュータ１１０は、サーボ信号処理部１０３へ制御信号を出力し、アクチュエータ１０１ｂを駆動させて、対物レンズ１０１ａを基準位置に配置させる。
【００２８】
次に、本発明の別の好ましい実施形態によるディスク再生装置２００の動作について説明する。図６は、ディスクトレイ１０６ａの搬入又は搬出が指示されたときのマイクロコンピュータ１１０の処理を示すフローチャートである。
【００２９】
マイクロコンピュータ１１０は、入力部１０９からディスクトレイ１０６ａの搬入又は搬出の指示信号が入力されると、制御信号をサーボ信号処理部１０３へ出力し、アクチュエータ１０１ｂを駆動させて、図４に示すように、ホルダ１０１ｃを光ディスク１１１からフォーカス軸方向に遠ざけて底部１０１ｆをベース部１０１ｅに当接させる（Ｓ３１）。そして、マイクロコンピュータ１１０は、計時を開始する（Ｓ３２）。次に、マイクロコンピュータ１１０は、制御信号をローディングモータ１０６ｂへ出力し、ローディングモータ１０６ｂを駆動させ、ディスクトレイ１０６ａを搬入又は排出させる（Ｓ３３）。次に、マイクロコンピュータ１１０は、所定時間が経過したか否かを判断する（Ｓ３４）。ここでいう所定時間とは、計時開始からクランプ又はアンクランプが完了するまでに必要な充分な時間である。ステップ３４で所定時間が経過したと判断した場合（Ｓ３４：ＹＥＳ）、マイクロコンピュータ１１０は、サーボ信号処理部１０３へ制御信号を出力し、アクチュエータ１０１ｂを駆動させて、対物レンズ１０１ａを基準位置に配置させる（Ｓ１４）。光ディスク１１１がクランプ又はアンプランプされる間、ホルダ１０１ｃがベース部１０１ｅに当接されているため、ホルダ２ｂとベース部１０１ｅとの衝突による叩き音を抑えることができる。また、ディスクトレイ１０６ａの搬入又は搬出動作期間内に光ディスク１１１のクランプ又はアンクランプが終了しない場合であっても、計時開始からクランプ又はアンクランプが完了するまでに必要な充分な期間を計時する所定時間として設定しているので、光ディスク１１１がクランプ又はアンプランプされる間、ホルダ１０１ｃがベース部１０１ｅに当接され、叩き音の発生を抑えることができる。なお、ステップ３４で所定時間が経過していないと判断した場合（Ｓ３４：ＮＯ）、マイクロコンピュータ１１０は、ステップ３３に戻り、計時及びディスクトレイ１０６ａの搬入を継続する。
【００３０】
以上、本発明に係るディスク再生装置の好ましい実施形態の例について説明したが、上述した実施の形態は本発明を実施するための例示に過ぎない。例えば、ディスクローディング部１０６がセンサを有し、このセンサによって、ディスクトレイ１０６ａのローディング動作又はアンローディング動作を検出し、ローディング中又はアンローディング中であることを示す検出信号をマイクロコンピュータ１１０へ出力するようにしても良い。ここでいうセンサとは、例えば、ディスクトレイ１０６ａの位置に応じてオンオフされる１又は複数の機械的スイッチ又は光学的スイッチである。マイクロコンピュータ１１０は、入力される検出信号に基づいてローディング中又はアンローディング中を判断し、ローディング中又はアンローディング中である場合に、サーボ信号処理部１０３に制御信号を出力し、アクチュエータ１０１ｂを駆動させて、光ピックアップ１０１をベース部１０１ｅに当接させる。
【００３１】
また、本発明の好ましい実施例であるディスク再生装置１００において、入力部１０９からディスクトレイ１０６ａの搬入又は排出の指示信号が入力されてから、ディスクトレイ１０６ａが完全に搬入又は搬出されるまで、底部１０１ｆをベース部１０１ｅに当接させるようにしたが、その限りではない。例えば、ディスク再生装置１００が、クランプ完了又はアンクランプ完了したことを検出してその検出信号をマイクロコンピュータ１１０へ出力するセンサをさらに有し、マイクロコンピュータ１１０が、当該センサから検出信号が入力されるまで、底部１０１ｆをベース部１０１ｅに当接させるようにしても良い。
【産業上の利用可能性】
【００３２】
本発明は、ディスク再生装置に好適に採用され得る。
【符号の説明】
【００３３】
１００  ディスク再生装置
１０１  光ピックアップ
１０１ａ  対物レンズ
１０１ｂ  アクチュエータ
１０１ｃ  ホルダ
１０１ｄ  ベース部
１０１ｅ  底部
１０２  ＲＦアンプ
１０３  サーボ信号処理部
１０４  ドライバ
１０５  ディスクモータ
１０６  ディスクローディング部
１０６ａ  ディスクトレイ
１０６ｂ  ローディングモータ
１０７  ターンテーブル
１０８  ドライバ
１０９  入力部
１１０  マイクロコンピュータ
１１１  光ディスク
【図１】
2011070708.tif 000003
【図２】
2011070708.tif 000004
【図３】
2011070708.tif 000005
【図４】
2011070708.tif 000006
【図５】
2011070708.tif 000007
【図６】
2011070708.tif 000008
【図７】
2011070708.tif 000009
【図８】
2011070708.tif 000010